(57)【要約】【課題】業務用ビデオカメラのような重量物を担いだ際のフイット感や安定感を向上させたショルダーパッドを提供する。【解決手段】ショルダーパッド１を形作る合成高分子２の内部の、ショルダーパッド１の前部に相当する部位からショルダーパッド１の後部に相当する部位に亘って、骨材３が存在しており、骨材３は、ショルダーパッド１の前部に相当する部位では、合成高分子２のうち、ショルダーパッド１の両隅２ａ，２ｂに相当する部位を支えず、両隅２ａ，２ｂに挟まれた部位のみを支える形状をしている。ショルダーパッド１を使用して重量物を担いだ際に、ショルダーパッド１の前部では肩を押さえ込むとともに全体としては変形が防止されるので、肩へのフイット感が向上するとともに、重量物を安定させて担ぐことができる。【選択図】      図２
2004304264.tif 000002
【特許請求の範囲】
【請求項１】
ショルダーパッドを形作る合成高分子の内部の、該ショルダーパッドの前部に相当する部位から該ショルダーパッドの後部に相当する部位に亘って、骨材が存在しており、
前記骨材は、前記ショルダーパッドの前部に相当する部位では、前記合成高分子のうち、前記ショルダーパッドの両隅に相当する部位を支えず、該両隅に挟まれた部位のみを支える形状をしている
ことを特徴とするショルダーパッド。
【請求項２】
請求項１に記載のショルダーパッドにおいて、
前記骨材は、前記ショルダーパッドの後部に相当する部位では、前記合成高分子のうち、前記ショルダーパッドの内寄りの隅に相当する部位を支えない形状をしていることを特徴とするショルダーパッド。
【請求項３】
請求項１または２に記載のショルダーパッドにおいて、
前記合成高分子は、前記ショルダーパッドの下面の前方外寄りの部位に相当する部位に、窪みを有することを特徴とするショルダーパッド。
【請求項４】
請求項１乃至３のいずれかに記載のショルダーパッドにおいて、前記合成高分子は半硬質程度の硬さを有することを特徴とするショルダーパッド。
【請求項５】
請求項１乃至４のいずれかに記載のショルダーパッドにおいて、
前記合成高分子はポリエチレンであることを特徴とするショルダーパッド。
【請求項６】
請求項１乃至５に記載のショルダーパッドにおいて、
前記ショルダーパッドは、ビデオカメラを担ぐためのショルダーパッドであり、ビデオカメラに対する取り付け位置を前後方向で調整するための、前後方向に延びた長穴を有することを特徴とするショルダーパッド。
【発明の詳細な説明】
【０００１】
【発明の属する技術分野】
本発明は、例えば業務用のビデオカメラを肩に担ぐ際に使用して好適なショルダーパッドに関する。
【０００２】
【従来の技術】
業務用のビデオカメラを肩に担ぐ際に、肩への負担の軽減等を図るための器具として、ショルダーパッドが存在する。ショルダーパッドは、上面がビデオカメラへの取り付け面となっており、ビデオカメラにねじなどで取り付けた状態で、ショルダーパッドの下面を肩にあててビデオカメラを担ぐというようにして使用される。
【０００３】
このショルダーパッドとしては、従来から様々な構造のものが提案されている。例えば、本出願人は、外表面が、滑りにくく柔軟性及び耐久性を有しショルダーパッドの形状に保形された表皮から成り、表皮の開口部から、ショルダーパッドの形状に保形された軟質ウレタンフォームから成るクッションを収納し、表皮の開口部裏面側に前後２枚に分離された下部骨板を収納し、この下部骨板に上から上部骨板をねじ締めして表皮を挟持固定し、上部骨板をビデオカメラにねじで固定するようにしたショルダーパッドを提案済みである（例えば、特許文献１参照）。
【０００４】
【特許文献１】
特開平１１−１５５０８９号公報（段落番号００１１〜００２１、図１〜図８）
【０００５】
【発明が解決しようとする課題】
しかし、このショルダーパッドは、肩の動きに応じて下面のクッション（軟質ウレタンフォーム）が全体として変形するので、肩へのフイット感が損なわれたり、ビデオカメラを安定させて担ぎにくくなることがある。
【０００６】
また、一般に従来のショルダーパッドは、肩からずれ易かったり、ビデオカメラのような重量物を担いだ際に、肩のうち鎖骨が張り出している部分が痛くなることがあった。
【０００７】
本発明は、上述の点に鑑み、業務用ビデオカメラのような重量物を担いだ際のフイット感や安定感を向上させたショルダーパッドや、さらには、肩からずれにくいとともに、重量物を担いだ際にも鎖骨が張り出している部分が痛くならないショルダーパッドを提供することを課題としてなされたものである。
【０００８】
【課題を解決するための手段】
この課題を解決するために、本出願人は、ショルダーパッドを形作る合成高分子の内部の、ショルダーパッドの前部に相当する部位からショルダーパッドの後部に相当する部位に亘って、骨材が存在しており、この骨材は、ショルダーパッドの前部に相当する部位では、この合成高分子のうち、ショルダーパッドの両隅に相当する部位を支えず、この両隅に挟まれた部位のみを支える形状をしているショルダーパッドを提案する。
【０００９】
このショルダーパッドでは、合成高分子によってショルダーパッドが形作られるとともに、この合成高分子の内部に骨材が挿入されることにより、全体としての変形が防止される。
【００１０】
ただし、ショルダーパッドの前部では、この骨材は、両隅を支えておらず、両隅に挟まれた部位のみを支えている。したがって、このショルダーパッドを使用してビデオカメラのような重量物を担ぐと、前部の両隅は押し広げられ、その結果ショルダーパッドの前部が肩を押さえ込むようになる。
【００１１】
このように、前部では肩を押さえ込むとともに全体としては変形が防止されるので、肩へのフイット感が向上するとともに、ビデオカメラのような重量物を安定させて担ぐことができる。
【００１２】
なお、このショルダーパッドにおいて、一例として、骨材は、ショルダーパッドの後部に相当する部位では、合成高分子のうち、ショルダーパッドの内寄り（肩にあてた際に首に近いほう）の隅に相当する部位を支えない形状をしたものであることが好適である。
【００１３】
それにより、このショルダーパッドを使用して重量物を担いだ際に、前部の両隅だけでなく後部の首に近いほうの隅も押し広げられ、その結果ショルダーパッドの後部の首に近いほうの部分も肩をしっかり押さえ込むようになるので、肩へのフイット感が一層向上するとともに、ビデオカメラのような重量物を一層安定させて担ぐことができる。
【００１４】
また、このショルダーパッドにおいて、一例として、合成高分子は、ショルダーパッドの下面の前方外寄り（肩にあてた際に肩の前面の先端に近いほう）の部位に相当する部位に、窪みを有するものであることが好適である。
【００１５】
このように、ショルダーパッドの下面の、肩にあてた際に肩の前面の先端に近いほうの部位に窪み設けることにより、ショルダーパッドを肩にあてる際に、この窪みの位置を、肩のうち鎖骨が張り出している部分に合わせる（鎖骨が張り出している部分をこの窪みに収める）ことができる。
【００１６】
これにより、肩に対するショルダーパッドの部位が、鎖骨が張り出している部分を中心として規定されるので、ショルダーパッドが肩からずれにくくなる。また、このように鎖骨が張り出している部分を窪みに収めることにより、ビデオカメラのような重量物を担いだ際にも、鎖骨が張り出している部分が痛くなることもなくなる。
【００１７】
また、このショルダーパッドにおいて、一例として、合成高分子としては、半硬質程度の硬さのものを用いることが好適である。それにより、軟質のものを用いる場合よりも、ショルダーパッドの前部等が肩を一層しっかり押さえ込むようになるので、肩へのフイット感が一層向上するとともに、ビデオカメラのような重量物を一層安定させて担ぐことができるようになる。また、このように半硬質程度の硬さのものを用いることにより、長時間使用しても、硬質のものを用いる場合と異なり、肩が痛くなることもなくなる。
【００１８】
このショルダーパッドにおける合成高分子としては、一例として、ポリエチレンを用いるようにすればよい。
【００１９】
また、このショルダーパッドをビデオカメラを担ぐために使用する場合には、一例として、ビデオカメラに対する取り付け位置を前後方向で調整するための、前後方向に延びた長穴を設けることが好適である。
【００２０】
ビデオカメラの重心位置はレンズ交換等によって変化するが、このような長穴を設けることにより、ビデオカメラに対するショルダーパッドの取り付け位置を、ビデオカメラの重心位置に応じて前後方向で調整して、ビデオカメラをちょうど重心位置で支えるようにして担ぐことができるようになる。
【００２１】
【発明の実施の形態】
以下、業務用のビデオカメラを担ぐためのショルダーパッドに本発明を適用した例を、図面を用いて具体的に説明する。
【００２２】
図１は、本発明を適用した右利き用（右肩でビデオカメラを担ぐための）ショルダーパッドを、斜め左前方からみた斜視図である。このショルダーパッド１は、半硬質のポリエチレン２によって形作られており、下面が凹状に湾曲するとともに上面がビデオカメラへの取り付け面となった形状をしている。
【００２３】
図２はショルダーパッド１の上面図、図３はショルダーパッド１の断面（図２のＡ−Ａ断面）図、図４はショルダーパッド１の側面図、図５はショルダーパッド１の下面図である。
【００２４】
図２に示すように、ポリエチレン２は、ショルダーパッド１の前部（図の左側の部分）に相当する部位では、右隅（前右隅と呼ぶことにする）２ａや左隅（前左隅と呼ぶことにする）２ｂよりも、これらの前右隅２ａと前左２ｂとで挟まれた部位のほうが突出し、ショルダーパッド１の後部（図の右側の部分）に相当する部位では、ショルダーパッド１の左寄り（肩にあてた際に首に近いほうである内寄り）の隅に相当する左隅（後左隅と呼ぶことにする）２ｃが、ショルダーパッド１の右寄り（肩にあてた際に肩の先端に近いほうである外寄り）の隅に相当する右隅（後右隅と呼ぶことにする）２ｄよりも突出した、左右非対称な形状をしている。
【００２５】
また、図３及び図４に示すように、ポリエチレン２は、ショルダーパッド１の前部や後部に相当する部位は、上面が下側に向けて傾斜するとともに、ショルダーパッド１の中央部（前部と後部とに挟まれた部分）に相当する分よりも厚みが大きくなっている。
【００２６】
図２に想像線で示すとともに図３に示すように、ポリエチレン２の内部には、ショルダーパッド１の前部に相当する部位からショルダーパッド１の後部に相当する部位に亘って、骨材としての板金３が存在している。図６，図７は、それぞれこの板金３の形状を示す上面図，側面図である
【００２７】
図３及び図７に示すように、板金３は、ポリエチレン２の形状に合わせて、ショルダーパッド１の前部や後部に相当する部位が、下側に向けて折れ曲がった形状をしている。また、図２に想像線で示すとともに図６に示すように、板金３には、後述の長穴４に対応した２つの長穴３ａが設けられるとともに、強度を保ちつつ軽量化を図るための複数の穴３ｂが設けられている。
【００２８】
図２に想像線で示すとともに図６に示すように、板金３は、ショルダーパッド１の前部に相当する部位では、ポリエチレン２のうち前右隅２ａ及び前左隅２ｂを支えず、これらの前右隅２ａと前左隅２ｂとで挟まれた部位のみを支える形状をしている。また、ショルダーパッド１の後部に相当する部位では、ポリエチレン２のうち後左隅２ｃを支えず、後右隅２ｄを支える形状をしている。
【００２９】
ポリエチレン２の下面の凹状部分の長さ（ショルダーパッド１の前後方向に相当する方向での長さ）は、左端での長さ（図４のＬ）が約１１ｃｍ、右端での長さが約９ｃｍであり、比較的短くなっている。
【００３０】
図１〜図３及び図５に示すように、ポリエチレン２には、ショルダーパッド１の前後方向に相当する方向に延びた、ビデオカメラへの取り付け用の２つの長穴４が貫通して設けられている（前述のように板金３にもこれらの長穴４に対応した長穴３ｂが設けられている）。また、図２及び図５に示すように、ポリエチレン２には、これらの長穴４よりもショルダーパッド１の後方に相当する部位にも、ビデオカメラへの取り付け用の穴５が貫通して設けられている。
【００３１】
長穴４は、ショルダーパッド１をビデオカメラの一定の基準位置に取り付ける際には、長穴４内の最もショルダーパッド１の前方寄りの位置でねじ７によってショルダーパッド１をビデオカメラに取り付け、他方、ショルダーパッド１をビデオカメラのこの基準位置よりも前の位置に取り付ける際には、長穴４内のショルダーパッド１の後方寄りの位置でねじ７によってショルダーパッド１をビデオカメラに取り付けるというように、ビデオカメラに対する取り付け位置を前後方向で調整するための穴である。
【００３２】
穴５は、ショルダーパッド１をビデオカメラのこの基準位置に取り付ける際に、長穴４とともにねじ（図示略）によってショルダーパッド１をビデオカメラに取り付けるための穴であり、ショルダーパッド１をビデオカメラのこの基準位置よりも前の位置に取り付ける際には使用されない。
【００３３】
また、図５に示すように、ポリエチレン２には、ショルダーパッド１の凹状の下面の前方の右寄り（肩にあてた際に肩の先端に近いほうである外寄り）の部位に相当する部位に、深さ数ｍｍ程度の窪み６がさらに設けられている。
【００３４】
このショルダーパッド１は、圧縮成形機の金型の中に板金３をピン等によって位置決めした状態で、この金型にポリエチレンの材料を流し込んで、ポリエチレン２を圧縮成形することによって製造されている。
【００３５】
図８は、このショルダーパッド１の業務用ビデオカメラへの取り付け例を示す図である。前述の長穴４（基準位置に取り付ける際には長穴４及び穴５）を用いて、ショルダーパッド１が業務用のビデオカメラ１０に前述のねじ７（基準位置に取り付ける際にはねじ７及び穴５に通したねじ）によって固定して取り付けられている。
【００３６】
ショルダーパッド１は、このようにビデオカメラ１０に取り付けた状態で、ショルダーパッド１の下面を右肩にあててビデオカメラ１０を担ぐというようにして使用される。
【００３７】
次に、このショルダーパッド１を使用してビデオカメラ１０を担ぐ様子について説明する。このショルダーパッド１では、ポリエチレン２によってショルダーパッドが形作られるとともに、ポリエチレン２に板金３が挿入されることにより、全体としての変形が防止される。
【００３８】
ただし、図２に示したように、ショルダーパッド１の前部では、板金３は、両隅（ポリエチレン２の前右隅２ａ及び前左隅２ｂ）を支えておらず、両隅に挟まれた部位のみを支えている。さらに、ショルダーパッド１の後部では、板金３は、肩にあてた際に首に近いほうである内寄りの左隅（ポリエチレン２の後左隅２ｃ）を支えず、肩にあてた際に肩の先端に近いほうである外寄りの隅（ポリエチレン２の後右隅２ｄ）を支えている。
【００３９】
したがって、ショルダーパッド１を使用してビデオカメラ１０を担ぐと、個人差による肩の太さの差にかかわらず（肩が太い人でも窮屈な感じにならずに）前部の両隅と後部の首に近いほうの隅とが無理なく押し広げられ、その結果ショルダーパッド１の前部と後部の首に近いほうの部分とが肩を押さえ込むようになる。
【００４０】
このように、前部と後部の首に近いほうの部分とで肩を押さえ込むとともに全体としては変形が防止されるので、肩へのフイット感が向上するとともに、ビデオカメラ１０を安定させて担ぐことができる。
【００４１】
なお、ショルダーパッド１の後部のうち、肩にあてた際に肩の先端に近いほうである外寄りの隅（ポリエチレン２の後右隅２ｄ）は、板金３で支えられているので、ビデオカメラ１０を担いだ際にも押し広げられない。これは、肩の先端に近いほうの部分は個人差による太さの違いがあまりない部分なので、押し広げなくてもフィット感にはあまり影響がない（却って変形させないことにより安定感が高まる）ためである。
【００４２】
また、このショルダーパッド１は、下面の凹状部分の長さ（図４のＬ等）が比較的短くなっているので、その点からも、肩へのフイット感が向上する。
【００４３】
さらに、このショルダーパッド１は、肩にあてる際に、凹状の下面の前方外寄り（肩の前面の先端に近いほう）にさらに設けられている窪み（ポリエチレン２の窪み６）の位置を、肩のうち鎖骨が張り出している部分に合わせる（鎖骨が張り出している部分を窪み６に収める）ことができる。
【００４４】
これにより、肩に対するショルダーパッド１の部位が、鎖骨が張り出している部分を中心として規定されるので、ショルダーパッド１が肩からずれにくくなる。また、このように鎖骨が張り出している部分を窪み６に収めることにより、ビデオカメラ１０を担いだ際にも、鎖骨が張り出している部分が痛くなることもなくなる。
【００４５】
さらに、このショルダーパッド１は、半硬質程度の硬さのポリエチレン２を用いていることにより、軟質のものを用いる場合よりも、ショルダーパッド１の前部や後部左側が肩を一層しっかり押さえ込むようになるので、肩へのフイット感が一層向上するとともに、ビデオカメラ１０のような重量物を一層安定させて担ぐことができる。また、このように半硬質程度の硬さのものを用いることにより、長時間使用しても、硬質のものを用いる場合と異なり、肩が痛くなることもなくなる。
【００４６】
さらに、ビデオカメラ１０の重心位置はレンズ交換等によって変化する（レンズが重くなると重心が前方に移動する）が、ビデオカメラ１０に対するショルダーパッド１の取り付け位置を、ビデオカメラ１０の重心位置に応じて長穴４で前後方向で調整して（重心が前方に移動した場合には、長穴４内のショルダーパッド１の後方寄りの位置でねじ７によってショルダーパッド１をビデオカメラ１０に取り付けて）、ビデオカメラ１０をちょうど重心位置で支えるようにして担ぐことができる。したがって、その点からも、ビデオカメラ１０を安定させて担ぐことができる。
【００４７】
なお、以上の例では右利き用のショルダーパッド１を示したが、左利き用のショルダーパッドを製造する場合には、ショルダーパッド１と対称な形状にすればよい。
【００４８】
また、以上の例では、ポリエチレン２によってショルダーパッド１を形作っているが、ポリエチレン以外の合成高分子によってショルダーパッド１を形作ってもよい。
【００４９】
また、以上の例ではビデオカメラを担ぐためのショルダーパッドに本発明を適用しているが、ビデオカメラ以外の重量物を担ぐためのショルダーパッドとしても本発明を適用してよい。
【００５０】
そして、例えば神輿（みこし）のように複数人で同じ重量物を担ぐためのショルダーパッドとして本発明を適用する場合には、厚みの異なる何種種類かのショルダーパッドを製造することが好適である。それにより、各人が、身長に応じて厚みを選択して（身長の低い人は厚みの大きいものを使用して）、同じような高さでその重量物を担ぐことができるようになる。
【００５１】
また、本発明は、以上の例に限らず、本発明の要旨を逸脱することなく、その他様々の構成をとりうることはもちろんである。
【００５２】
【発明の効果】
以上のように、本発明に係るショルダーパッドによれば、ビデオカメラのような重量物を担いだ際に、前部では肩を押さえ込むとともに全体としては変形が防止されるので、肩へのフイット感が向上するとともに、重量物を安定させて担ぐことができるという効果が得られる。
【００５３】
さらに、重量物を担いだ際に、前部の両隅だけでなく後部の首に近いほうの隅も押し広げられ、その結果ショルダーパッドの後部の首に近いほうの部分も肩をしっかり押さえ込むようになるので、肩へのフイット感が一層向上するとともに、ビデオカメラのような重量物を一層安定させて担ぐことができるという効果も得られる。
【００５４】
さらに、ショルダーパッドを肩にあてる際に、ショルダーパッドの下面の窪みの位置を、肩のうち鎖骨が張り出している部分に合わせる（鎖骨が張り出している部分をこの窪みに収める）ことにより、肩に対するショルダーパッドの部位が、鎖骨が張り出している部分を中心として規定されるので、ショルダーパッドが肩からずれにくくなるという効果も得られる。また、鎖骨が張り出している部分をこの窪みに収めることにより、ビデオカメラのような重量物を担いだ際にも、鎖骨が張り出している部分が痛くなることがなくなるという効果も得られる。
【００５５】
さらに、合成高分子として半硬質程度の硬さのものを用いることにより、ショルダーパッドの前部等が肩を一層しっかり押さえ込むようになるので、肩へのフイット感が一層向上するとともに、ビデオカメラのような重量物を一層安定させて担ぐことができるという効果も得られる。また、このように半硬質程度の硬さのものを用いることにより、長時間使用しても、硬質のものを用いる場合と異なり、肩が痛くなることがなくなるという効果も得られる。
【００５６】
さらに、ビデオカメラを担ぐために使用する場合には、ビデオカメラに対するショルダーパッドの取り付け位置を、ビデオカメラの重心位置に応じて前後方向で調整して、ビデオカメラをちょうど重心位置で支えるようにして担ぐことができるという効果も得られる。
【図面の簡単な説明】
【図１】本発明に係るショルダーパッドの斜視図である。
【図２】本発明に係るショルダーパッドの上面図である。
【図３】本発明に係るショルダーパッドの断面図である。
【図４】本発明に係るショルダーパッドの側面図である。
【図５】本発明に係るショルダーパッドの下面図である。
【図６】本発明に係るショルダーパッドの構成要素である板金の上面図である。
【図７】本発明に係るショルダーパッドの構成要素である板金の側面図である。
【図８】本発明に係るショルダーパッドのビデオカメラへの取り付け例を示す図である。
【符号の説明】
１  ショルダーパッド、  ２  ポリエチレン、  ２ａ  ショルダーパッドの前部に相当するポリエチレンの部位の右隅、  ２ｂ  ショルダーパッドの前部に相当するポリエチレンの部位の左隅、  ２ｃ  ショルダーパッドの後部に相当するポリエチレンの部位の左隅、  ２ｄ  ショルダーパッドの後部に相当するポリエチレンの部位の右隅、  ３  板金、  ４  長穴、  ５  穴、  ６  窪み、  ７  ねじ、  １０  業務用のビデオカメラ
【図１】
2004304264.tif 000003
【図２】
2004304264.tif 000004
【図３】
2004304264.tif 000005
【図４】
2004304264.tif 000006
【図５】
2004304264.tif 000007
【図６】
2004304264.tif 000008
【図７】
2004304264.tif 000009
【図８】
2004304264.tif 000010